(57)【特許請求の範囲】
【請求項１】
複数の景品の外観イメージデータを記録するイメージ記録手段と、
前記景品と遊技結果価値との交換量を含むマスターデータを記憶したデータ記憶手段と、
会員登録した会員遊技者を特定可能な会員識別情報に対応付けて、当該会員遊技者が獲得した遊技結果価値並びに景品の送付先情報を記憶、管理する会員管理手段と、
前記イメージ記録手段に記憶されている外観イメージデータに基づく景品の外観及び前記データ記憶手段に記憶されているマスターデータに基づく該景品の交換量を前記会員遊技者に提供し、該会員遊技者からの選択を受付ける選択受付け手段と、
前記選択受付け手段において景品の選択受付けを行った会員を特定する会員特定手段と、
前記選択受付け手段にて選択された前記景品に相当する前記交換量を前記会員特定手段にて特定した会員の会員識別情報に対応付けて前記会員管理手段に記憶されている遊技結果価値量より減算するための演算手段と、
前記景品の発送を行うカタログ業者との間のデータ通信を制御する通信手段と、
前記カタログ業者に対する発送情報として、前記選択受付け手段にて選択された景品を特定可能な情報と、前記会員特定手段にて特定した会員の会員識別情報に対応付けて前記会員管理手段に記憶されている送付先情報とを少なくとも含む発送情報を生成する発送情報生成手段と、
前記カタログ業者から送信される更新情報の有無を営業開始時にチェックし、更新情報があったときには、前記通信手段を介して該カタログ業者に対し配信要求を送信し、該配信要求の送信に応じて返信されてきた景品の外観イメージデータに、前記イメージ記録手段に記録している外観イメージデータを書き換える外観イメージ更新手段と、
から構成されることを特徴とする景品交換用カタログシステム。
【発明の詳細な説明】
【０００１】
【発明の属する技術分野】
本発明は、パチンコ店などの遊技場において採用される景品交換用力タログシステムに関する。更に詳しくは、パチンコ玉、コイン等の遊技場における遊技結果価値と景品とを交換する際の利便性を改善した景品交換用力タログシステムに関する。
【０００２】
【従来技術】
この種遊技場においては、パチンコ、パチスロ等の遊技後の残玉は持ち帰りが禁止されており、全て玉数をカウントして、それに相当する景品と交換することになっている。しかしながら、大当たりした場合などは、店舗に陳列されている景品では顧客の満足するものが無い場合があり、顧客は必要でないものを仕方なく持ちかえる場合が多い。
【０００３】
【発明が解決しようとする課題】
そこで、店舗の景品所に並んでいない景品や、高額商品を顧客の要望とマッチングさせる必要がある。そこで、例えば特開平５−１３１０６５号に示した如く記録可能なカードを用いて顧客を特定し、パチンコ遊技後に顧客が獲得した玉数及び購入した玉数（これらを以下残玉数若しくは保管玉数とも云う）をその顧客のデータとしてホール用コンピュータに記憶させる。
【０００４】
そして、顧客は景品交換カウンターなどに設けられた電子カタログ装置を用い、予め記録されたカタログ景品の選択を行い、後日顧客の指定する住所などに配達するか保管してもらうことによりこの問題を解決しようとしたが、従来の装置では景品交換カウンターなどにおいてカタログ景品の予約に手間取る場合が多く、実際には余り利用されていないのが実状であった。
【０００５】
本発明は、係る従来の技術的課題を解決するために成されたものであり、所謂カタログ景品の交換利用の促進を図ると共に、利便性を更に向上させた景品交換用カタログシステムを提供することを目的とする。
【０００８】
【課題を解決するための手段】
請求項１の発明の景品交換用カタログシステムは、複数の景品の外観イメージデータを記録するイメージ記録手段と、
前記景品と遊技結果価値との交換量を含むマスターデータを記憶したデータ記憶手段と、
会員登録した会員遊技者を特定可能な会員識別情報に対応付けて、当該会員遊技者が獲得した遊技結果価値並びに景品の送付先情報を記憶、管理する会員管理手段と、
前記イメージ記録手段に記憶されている外観イメージデータに基づく景品の外観及び前記データ記憶手段に記憶されているマスターデータに基づく該景品の交換量を前記会員遊技者に提供し、該会員遊技者からの選択を受付ける選択受付け手段と、
前記選択受付け手段において景品の選択受付けを行った会員を特定する会員特定手段と、
前記選択受付け手段にて選択された前記景品に相当する前記交換量を前記会員特定手段にて特定した会員の会員識別情報に対応付けて前記会員管理手段に記憶されている遊技結果価値量より減算するための演算手段と、
前記景品の発送を行うカタログ業者との間のデータ通信を制御する通信手段と、
前記カタログ業者に対する発送情報として、前記選択受付け手段にて選択された景品を特定可能な情報と、前記会員特定手段にて特定した会員の会員識別情報に対応付けて前記会員管理手段に記憶されている送付先情報とを少なくとも含む発送情報を生成する発送情報生成手段と、
前記カタログ業者から送信される更新情報の有無を営業開始時にチェックし、更新情報があったときには、前記通信手段を介して該カタログ業者に対し配信要求を送信し、該配信要求の送信に応じて返信されてきた景品の外観イメージデータに、前記イメージ記録手段に記録している外観イメージデータを書き換える外観イメージ更新手段と、
から構成されることを特徴とする。
【０００９】
本発明によれば、顧客がイメージ記録手段内に記録された景品を選択することにより、選択された景品に相当する交換量が顧客の獲得した遊技結果価値量から減算されるので、パチンコ店などの遊技場に陳列していない景品、即ちカタログ景品を顧客は得ることができるようになり、顧客サービスの著しい向上が図れるようになる。
【００１２】
更に、請求項１の発明では景品の外観イメージデータを記録するイメージ記録手段は、カタログ業者との間のデータ通信を制御する通信手段を介してカタログ業者から景品の外観イメージデータを受信した場合、記録しているデータを当該受信したデータに書き換えるので、サイクルの短いカタログ景品のデータ入れ替え作業が簡素化され、遊技場における利便性を著しく向上させることができるようになる。
【００１３】
【発明の実施の形態】
以下、本発明の実施形態を図面に基づいて詳述する。図１はパチンコ店（遊技場）に適用したときの本システムの構成例を示している。この図において、１はパチンコ店内に複数台並設されて島を構成するパチンコ機Ｐに対してそれぞれ設置された各台ユニットとしての台間ユニットであり、通信回線（通信用インターフェイスＲＳ−２３２Ｃを使用。以下同じ。）で宅内回線に接続されている。３はＰＯＳレジスター（以下、ＰＯＳレジ）で、これも宅内回線に接続されており、このＰＯＳレジ３では会員（ＩＤ）カード６の発行とカードの読取りを行う。
【００１４】
暗証番号は外部入力端子（キー・パッド）９より行い、そのデータは会員管理サーバー（パソコンなど。以下同じ。）２に転送される。カード情報読取・書込（Ｒ／Ｗ）装置３ａは、カード情報を読取・書込部を外付けにした例である。カード情報読取・書込（Ｒ／Ｗ）装置３ａは、ＰＯＳレジ３内に内蔵される場合もある。パチンコ遊技後の獲得した玉は、これも宅内回線に接続されたカウンター（ジェットカウンター）５で計数される。
【００１５】
その時、会員カード６をカード情報読取・書込（Ｒ／Ｗ）装置７に挿入して、顧客の特定を行い、そのデータ（残玉数）は、宅内回線を経由して顧客のコード番号とともに会員管理サーバー２に記憶される。台間ユニット１に会員カード６を挿入すると、会員管理サーバー２に記憶されている残玉数に応じてカタログ購入ができる。その時、領収書代わりにレシート１３が発行される。
【００１６】
会員管理サーバー２はパチンコ店のデータ処理を行う。尚、図１では一店舗のみの例を示しているが、複数の店舗の会員管理サーバー２を公衆回線を介して中央処理用コンピュータに接続し、それら店舗のデータを集中処理することも可能である。
【００１７】
図２は会員カード６のレイアウト例を示している。本会員カード６は例えば紙の基板上に感熱により発色する感熱材料を塗布するものであって、原理的にはファクシミリ等の記録紙で使用されている公知の材料である。この裏面はテレフォンカードのように必要に応じてカラー印刷されたものである。
【００１８】
なお、パチンコ機Ｐを設置してあるパチンコ店では、磁気の影響は電子機器の動作に影響を与え好ましくないとされているが、この材料の特徴は磁気の影響を受けないことである。また、折り曲げに強く、廉価であるという特徴もある。会員カード６には、図２に示すように会員暗証番号（４桁）コード２１、シリアル・ナンバー２２、日付２３、ＩＤ・店舗コード２４、顧客の氏名（図示せず）、生年月日（図示せず）などのデータを記録する。繰り返しデータ記録余白部２５には、保管（貯）玉数などのデータを記録することも可能である。
【００１９】
ＰＯＳレジ３では、会員登録（ＩＤ、暗証番号）、保管玉数を会員管理サーバー２に紹介・入力、保管玉引き出し数の入力と差し引き計算などの作業が行われる。
【００２０】
会員管理サーバー２は、図３に示すようなデータファイルを作り、会員ごとデータの管理並びに店舗の集計データの処理を行う。即ち、会員別の玉数の記録カード３８を作り、年月日、項目（１は特殊景品、２は保管（貯）玉、３はその他の景品）、店舗Ｎｏ、玉数、金額、残玉などがデータとして会員管理サーバー２に保管される。
【００２１】
その他、保管玉の売上データとして、比率計算後の売上データ処理、保管玉の預金のデータ処理を行い、後述する台間ユニット１からのデータに基づいてカタログ景品の配送指示も行う。この場合、会員管理サーバー２には、会員カード６ごとの住所、電話番号などの会員データ５２が記録されており、会員顧客へのカタログ景品配送の自動化が図れる。この会員データ５２のフォーマットは図４にしめされる。会員データ５２としては、会員番号、暗証番号、年月日、商品の種類、発送先などが記録されている。
【００２２】
図５は景品サーバー４の機能ブロック図を示している。景品の外観のイメージデータはハードディスク４９に記録されており、ＣＰＵ４１により、ＣＲＴ（表示装置）４３上に表示できる。景品のイメージデータ（写真・イラスト）は、短時間でＣＲＴ４３上に表示される。ハードディスク４９は、ハードディスクドライブ装置４８により駆動され、ＣＲＴ４３はディスプレイ駆動回路４２により駆動される。
【００２３】
景品データファイル５０には、品名、単価（玉数）のデータがあり、景品の外観イメージとともにＣＲＴ４３上に表示できる。ＣＰＵ４１はキーボード４４からの入力により、プログラムに従ってハードディスク４９、ＣＲＴ４３などを制御する。この景品サーバー４は、インターフェース４７、宅内回線終端装置（ＤＳＵ）８を介して宅内回線に接続されている。そして、後述する如く端末装置５６を経由してカタログ業者より景品の外観イメージデータの送信を受け、受け取ったデータにハードディスク４９内のデータを書き換える。
【００２４】
また、景品サーバー４は、台間ユニット１からの要求により、ハードディスク４９内の景品の外観イメージデータと景品データファイル５０内の品名、単価（玉数）のデータを台間ユニット１に送信する。更に、Ｗｅｂサーバー５８からの要求により、同様にハードディスク４９内の景品の外観イメージデータと景品データファイル５０内の品名、単価（玉数）のデータをＷｅｂサーバー５８に送信する。
【００２５】
前記端末装置５６は宅内回線に接続され、更に、回線終端装置（ＤＣＥ）５７と公衆回線（ＩＳＤＮ回線）を介してカタログ業者に接続されている。端末装置５６は外部のカタログ業者とパチンコ店内の各サーバーとの間のデータの送受信を司る。
【００２６】
即ち、景品サーバー４が保有する景品の外観イメージデータを交換する際には、キーボード４４を用いてＣＰＵ４１にカタログ要求の指示を行う。ＣＰＵ４１は宅内回線と上記端末装置５６を経由して公衆回線を用い、カタログ業者にカタログ要求を行う。
【００２７】
尚、上述の如く管理者が景品サーバー４を操作してカタログ業者にカタログ要求を行う場合の他に、景品サーバー４が自動的にカタログ要求を行うように構成しても良い。その場合、景品サーバー４には毎日（開店時などに）カタログの更新情報（カタログ業者から送信される）があるかどうか自動的にチェックするようプログラムしておき、更新情報があった場合には、後述する如く当該更新情報をダウンロードして書き換えを行うようにするものである。
【００２８】
カタログ業者はこの要求に応じて更新された景品（カタログ景品）の外観イメージデータを公衆回線を用い、端末装置５６、宅内回線を経由して景品サーバー４に送信する。景品サーバー４のＣＰＵ４１は係る景品の外観イメージデータを受け取ると、上述の如くハードディスク４９内に記録しているデータを、カタログ業者より送信された景品の外観イメージデータに書き換える。これにより、サイクルの短いカタログ景品の外観イメージデータの入れ替え作業は著しく簡素化される。
【００２９】
次に、図６は台間ユニット１の機能ブロック図を示している。実施例の台間ユニット１は、通常の情報表示、或いは、テレビ映像の表示機能の他、玉販売及び保管（貯）玉払出機能と電子カタログの端末機能を有する。
【００３０】
即ち、台間ユニット１は、プリペイドカード、現金による玉販売と、保管玉（以下、貯玉と同じ意味で使う。）の払出しを行う。カード情報の読取・書込（Ｒ／Ｗ）装置３１は、インターフェース１０を介してＣＰＵ３７に接続され、カードのデータの読み取り・書き込みを行う（この部分の詳細については、後述する）。プリペイド・カードの場合は、そのカード自身に等価交換で支払い、支払った額相当のデータの書き替えを行う。
【００３１】
会員カード６を読取・書込（Ｒ／Ｗ）装置３１に挿入すると、ＣＰＵ３７はＩＤ・店舗データ等の特定を行い、顧客ことのデータが記録されている会員管理サーバー２よりデータを読み出し、顧客に保管玉数が分かるようにディスプレイ駆動回路４６によりＣＲＴ３４に表示する。３２は入力用のキースイッチである。また、紙幣識別制御部３３は、紙幣の読み取りを行う。
【００３２】
ＣＰＵ３７はＣＲＴ３４に保管玉数などを表示する。選択はキースイッチ３２により行う。表示方法は、金額表示の１００円、２００円、３００円、５００円と、個数表示の５０個、１００個、１５０個、２００個、２５０個の二通りがある。玉払出部３５は、顧客の選択・指示により必要な玉数をノズル３５Ａを介してパチンコ機Ｐに払い出す。釣銭部３６は、紙幣を用いて玉を購入したときに必要金額を差し引いて釣り銭を出す。
【００３３】
この台間ユニット１は、インターフェース４５、宅内回線終端装置（ＤＳＵ）８を介して宅内回線に接続されている。そして、ＣＰＵ３７は顧客がキースイッチ３２を操作することにより、カタログ景品の表示要求がされると、前述の如く景品サーバー４に景品の外観イメージデータと品名、単価（玉数）のデータの要求を行い、これの送信を受けてＣＲＴ３４に表示する。
【００３４】
顧客がＣＲＴ３４上に表示された景品を選択して、キースイッチ３２により選択すると、後述する如く顧客に景品が届くことになる。領収書代わりにレシート１３がレシート発行部１３ａより発行される。景品の外観イメージと共にＣＲＴ３４に表示された品名、単価（玉数）のデータは会員の保管玉データより会員管理サーバー２により減算されるデータとなる。
【００３５】
顧客は会員カード６をカード情報読取・書込装置３１に挿入して特定を行う。勿論、顧客の会員管理サーバー２の記録部には、景品に相当する以上の残玉（すなわち保管玉）数が残っていなくてはならない。ＣＰＵ３７は、カードの読取・書込装置３１、キースイッチ３２、紙幣識別制御部３３、ＣＲＴ３４、玉払出部３５、釣銭部３６、レシート発行部１３ａなどの制御を行う。
【００３６】
尚、ＣＰＵ３７は保管玉の変換比率も記憶しており、変換比率に応じて玉払いを行う。この変換比率は会員管理サーバー２により、或いは、当該台間ユニット１においても書き替えできる。また、変換比率は会員管理サーバー２に記憶させても良い。上記は台間ユニット１に会員カード６を使用した例を記述したが、台間ユニット１１にはプリペイドカードによる玉購入も可能である。この場合は、変換比率は１：１である。
【００３７】
次に、図７は前記カード情報読取・書込装置３ａ、７、３１の概略を示す断面図である。この図は、本実施例で使用する光学式情報記録カードからコード情報を読み取り、かつコードまたは文字・記号の書き込みを行う装置の例である。書き込み（発券機として使用）の場合は、書き込み前のカードを最大１０００枚までストックしておく為のカードストッカー１０２を有する。搬送機１０３がカードストッカー１０２の下部に設けられており、ライン・リーダーライター（Ｒ／Ｗ）処理機１０４に１枚ずつ供給する。
【００３８】
ライン・リーダーライター処理機１０４は、供給された前記感熱式のカード６に所定事項を書き込む為のライン・サーマルヘッド１０４ａ及び書込情報を読み取るためのフォトセンサー１０４ｂを含む。ライン・リーダーライター処理機１０４の前方には、カッター１０５が配置されており、書込ミス等による不良カードはここで裁断される。書き込みされたカード６は、排出口１０６から排出され、カード（会員カード）６が発券される。
【００３９】
読み取りの場合は、挿入口１０６よりカード６を挿入し、ライン・リーダーライター処理機１０４で読み取る。読み取ったカード６に必要があれば情報を書き込み（記録）、排出口１０６より排出する。これらの制御はアプリケーション・ソフトウェア用ボード１０７により行う。
【００４０】
即ち、カード情報読取書込装置１０１は、アプリケーション・ソフトウェア用ボード１０７を書き込み専用のソフトウェア用ボードにすると、書き込み専用（発券機）の機器となり、アプリケーション・ソフトウェア用ボード１０７を読み込み専用のソフトウェア用ボードにすると、読み込み専用の機器となる。また、アプリケーション・ソフトウェア用ボード１０７を読み込み・書き込み両用のソフトウェア用ボードにすると、カード情報読み取り・書き込み装置になる。制御部は、通信用インターフェースを通して会員管理サーバー２に接続される。
【００４１】
次に、前記Ｗｅｂサーバー５８は宅内回線に接続されると共に、公衆回線（ＩＳＤＮ回線）及びプロバイダ５９を経由して当該店舗がインターネット上に開設したホームページ６１の管理を行う。即ち、Ｗｅｂサーバー５８は当該店舗がホームページ６１上で各会員に提供するサービスを司るもので、当該店舗に関する情報などに加えて、前述の如く景品サーバー４からの景品の外観イメージデータと品名、単価（玉数）のデータをホームページ６１上に掲載する。
【００４２】
そして、会員の自宅に据え付けられたパソコン６２からのアクセス（プロバイダ６３を介する）を受け付け、（例えば会員番号を入力させ、その入力された番号の照合を行うなどして）所定の正当性を判断した後、会員（顧客）の景品選択を受け入れる。そして、後述する如く顧客に景品が届くことになる。また、景品の外観イメージと共にホームページ６１上に掲載された品名、単価（玉数）のデータは会員の保管玉データより減算するデータとなる。
【００４３】
次に、図８は顧客が台間ユニット１を用いてパチンコ玉と景品を交換（景品予約）するときの動作の概略を示すフローチャートであり、図９は、その時のＣＲＴ３４の表示例である。顧客はまず（Ｓ０）自らが遊技しているパチンコ機Ｐに並設された台間ユニット１のカード情報読取・書込装置３１にカード６を挿入する（Ｓ１）。
【００４４】
会員カード６であるか否かを判断する（Ｓ２）。会員カードでない場合は、カードを排出する（Ｓ２１）。その時、顧客にその旨の表示をＣＲＴ３４に表示してもよい。会員カード６の場合は、暗証番号をキースイッチ３２により入力して、会員管理サーバー２に照会（Ｓ３）する（図９の▲１▼画面が表示される。）。顧客の保管玉（貯玉）の有無を調べる（Ｓ４）。保管玉が無い場合は、顧客にその旨を表示するとともに、カードを排出する（Ｓ４１）。保管玉が有る場合は、その数（図９の▲２▼画面における現在の持玉数）をＣＲＴ３４に表示（Ｓ５）する。
【００４５】
ＣＲＴ３４上には、景品の外観とともに必要な交換玉数が表示されており、同時に、会員管理サーバー２のデータに基づいて保管玉数も表示する（Ｓ５）。図９の画面表示は、▲２▼、▲３▼、▲４▼、▲５▼、▲６▼と順次表示されていく。顧客はＣＲＴ３４の表示を見ながら景品の選択を行う（Ｓ６）。景品に必要とする交換玉数は、保管玉数以下か否かを判断する（Ｓ７）。
【００４６】
保管玉数が景品の交換玉数より少ない場合は、カード６排出又は顧客にその旨を表示する（Ｓ７１）。その場合、再度顧客の玉数選択ステップ（Ｓ５）に戻してもよい。保管玉数が景品の交換玉数より多い場合は、レシート１３を発行して領収書代わりにする（Ｓ８）。図９の画面表示は、▲９▼となる。次に、台間ユニット１は会員管理サーバー２に連絡して、その顧客の保管玉数より支払った玉数に相応する玉数を減ずる（Ｓ９）。
【００４７】
カード６を排出して（Ｓ１０）終了する（Ｓ１１）。ステップ９（Ｓ９）の段階で、景品の発送データを顧客ごとに整理して会員管理サーバー２に記憶し、後日、景品を顧客に送付する。この場合の業者への発注リスト５２ａを図１０に示す。
【００４８】
次に、図１１は顧客が自宅のパソコン６２を用い、インターネットのホームページ６１にアクセスしてパチンコ玉と景品を交換（景品予約）するときの動作の概略を示すフローチャートである。顧客はまず（Ｓ１２）自らが所有しているパソコン６２にてインターネットに接続し、ホームページ６１にアクセスする。そして、所定のカタログ景品予約画面を開き、自らの氏名などの会員データを送信入力する（Ｓ１３）。
【００４９】
Ｗｅｂサーバー５８は送信入力されたデータより会員であるか否かを判断する（Ｓ１４）。会員でない場合はカタログ景品予約画面を終了する（Ｓ１４１）。その時、顧客のパソコン６２にその旨のメッセージを送信してもよい。会員と判断された場合は、暗証番号を入力させて会員管理サーバー２に照会（Ｓ１５）する。そして、顧客の保管玉（貯玉）の有無を調べる（Ｓ１６）。保管玉が無い場合は、顧客にその旨のメッセージを送信するとともに、カタログ景品予約画面を終了する（Ｓ１６１）。保管玉が有る場合は、その数をパソコン６２に送信して表示（Ｓ１７）させる。
【００５０】
顧客のパソコン６２のＣＲＴ上には、景品の外観とともに必要な交換玉数が表示されており、同時に、会員管理サーバー２のデータに基づいて保管玉数も表示する（Ｓ１７）。顧客はパソコン６２のＣＲＴの表示を見ながら景品の選択を行う（Ｓ１８）。景品に必要とする交換玉数は、保管玉数以下か否かを判断する（Ｓ１９）。
【００５１】
保管玉数が景品の交換玉数より少ない場合は、カタログ景品予約画面の終了又は顧客のパソコン６２にその旨を表示する（Ｓ１９１）。その場合、再度顧客の玉数選択ステップ（Ｓ１７）に戻してもよい。保管玉数が景品の交換玉数より多い場合は、所定のレシート画面（データ）をパソコン６２に送信して領収書代わりにする（Ｓ２０）。次に、会員管理サーバー２に連絡して、その顧客の保管玉数より支払った玉数に相応する玉数を減ずる（Ｓ２２）。
【００５２】
そして、カタログ景品予約画面を終了する（Ｓ２３）。ステップ２２（Ｓ２２）の段階で、景品の発送データを顧客ごとに整理して会員管理サーバー２に記憶し、後日、景品を顧客に送付する。
【００５３】
このように、本発明によれば景品の外観及び交換量を表示するＣＲＴ３４と、ＣＲＴ３４に表示された景品を選択するキースイッチ３２を台間ユニット１に設けたので、顧客はパソコン機Ｐで遊技中している間にカタログ景品の申込み予約を行うことができるようになり、利便性が向上し、以てカタログ景品の一層の利用促進を図ることができるようになる。
【００５４】
また、景品の外観及び交換量はインターネット上のホームページ６１にも掲載し、当該ホームページ６１へ顧客がパソコン６２を使ってアクセスすることによっても、カタログ景品の選択を受け付けるようにしたので、顧客は自宅などからカタログ景品の申込み予約などを行うことができるようになり、同様に利便性が向上してカタログ景品の一層の利用促進を図ることができるようになる。
【００５５】
更に、景品サーバー４のハードディスク４９内に記録された景品の外観イメージデータは、カタログ業者から景品の外観イメージデータの送信を受けて景品サーバー４が当該データに書き換えるようにしたので、サイクルの短いカタログ景品のデータ入れ替え作業が簡素化され、遊技場における利便性を著しく向上させることができるようになる。
【００５６】
以上のように本発明の景品交換用カタログシステムは、パチンコ機Ｐが複数台並設されて成る遊技場において、複数の景品の外観イメージデータを記録したイメージ記録手段（景品サーバー４）と、景品と遊技結果価値との交換量などのマスターデータを記憶したデータ記憶手段（景品サーバー４）と、景品の外観及び交換量を表示するＣＲＴ３４と、ＣＲＴ３４に表示された景品を選択するためのキースイッチ３２と、選択された景品に相当する交換量をその顧客が獲得した遊技結果価値量より減算するための演算手段（会員管理サーバー２）とから構成され、少なくともＣＲＴ３４及びキースイッチ３２を、各パチンコ機Ｐに対応してそれぞれ配設された台間ユニット１に設けたことを特徴とする。
【００５７】
また、本発明の景品交換用カタログシステムは、複数の景品の外観イメージデータを記録したイメージ記録手段（景品サーバー４）と、景品と遊技結果価値との交換量などのマスターデータを記憶したデータ記憶手段（景品サーバー４）と、景品の外観及び交換量をインターネット上のホームページに掲載し、当該ホームページへの顧客からのアクセスに伴う景品の選択を管理するＷｅｂサーバー５８と、選択された景品に相当する交換量をその顧客が獲得した遊技結果価値量より減算するための演算手段（会員管理サーバー２）とから構成されていることを特徴とする。
【００５８】
更に、本発明の景品交換用カタログシステムは、複数の景品の外観イメージデータを記録するイメージ記録手段（景品サーバー４）と、景品と遊技結果価値との交換量などのマスターデータを記憶したデータ記憶手段（景品サーバー４）と、景品の外観及び交換量を顧客に提供し、顧客からの選択を受ける手段と、選択された景品に相当する交換量をその顧客が獲得した遊技結果価値量より減算するための演算手段（会員管理サーバー２）と、カタログ業者との間のデータ通信を制御する端末装置５６とから構成され、イメージ記録手段（景品サーバー４）は、端末装置５６を介してカタログ業者から景品の外観イメージデータを受信した場合、記録しているデータを当該受信したデータに書き換えることを特徴とする。
【００５９】
即ち、本発明によれば、顧客がイメージ記録手段（景品サーバー４）内に記録された景品を選択することにより、選択された景品に相当する交換量が顧客の獲得した遊技結果価値量から減算されるので、パチンコ店などの遊技場に陳列していない景品、即ちカタログ景品を顧客は得ることができるようになり、顧客サービスの著しい向上が図れるようになる。
【００６０】
特に、少なくとも景品の外観及び交換量を表示するＣＲＴ３４と、ＣＲＴ３４に表示された景品を選択するためのキースイッチ３２を、各パチンコ機Ｐに対応してそれぞれ配設された台間ユニット１に設けたので、顧客は遊技中でもカタログ景品の申込み予約などを行うことができるようになり、利便性が向上してカタログ景品の一層の利用促進を図ることができるようになる。
【００６１】
また、景品の外観及び交換量をインターネット上のホームページに掲載し、当該ホームページへの顧客からのアクセスに伴う景品の選択を受け付けるようにしたので、顧客は自宅などに設けた端末（パソコンなど）からカタログ景品の申込み予約などを行うことができるようになり、同様に利便性が向上してカタログ景品の一層の利用促進を図ることができるようになる。
【００６２】
更に、景品の外観イメージデータを記録するイメージ記録手段（景品サーバー４）は、カタログ業者との間のデータ通信を制御する端末装置５６を介してカタログ業者から景品の外観イメージデータを受信した場合、記録しているデータを当該受信したデータに書き換えるので、サイクルの短いカタログ景品のデータ入れ替え作業が簡素化され、遊技場における利便性を著しく向上させることができるようになる。
【００６３】
尚、上記実施例では台間ユニット１にカタログ景品予約機能を付加したが、それに限らず、各パチンコ機Ｐの上方に対応して設けられる情報表示装置にカタログ景品予約機能を装備させても良い。更に、係る各台ユニット（台間ユニット１）などを遊技機（パチンコ機Ｐ）に一体に構成しても良い。また、実施例ではパチンコ店内のデータ処理を行う会員管理サーバー２により演算手段を構成したが、それに限らず、顧客の保管玉（貯玉）の減算を行う演算手段の機能を台間ユニット１或いはＰＯＳレジ３に持たせても良い。
【００６４】
更に、実施例ではカタログ景品の予約のみについて説明したが、台間ユニット１では当該パチンコ店に陳列されている景品の予約も可能である。その場合には、遊技中に注文を入れておき、遊技後に景品交換カウンターでレシート１３を見せて景品を受け取る手順となる。
【００６６】
更に、実施例ではジェットカウンター（計数器）５を遊技機島に一台設けるかたちで説明したが、それに限らず、各パチンコ機Ｐ（遊技機）に対して一台ずつカウンター（計数器）を設けても良い。係る構成とすれば、上述の如きビジターカードなどを用いること無く、当該カウンターで計数した分について貯玉（保管玉）と同様に取り扱うことにより、台間ユニット１でカタログ景品の交換が可能となる
【００６７】
また、上記実施例のカード６は、光学的に情報が記録されているものであったが、このカード６は磁気式、ＩＣなど他の方式でも良い。また、実施例の保管玉の払い出しは、時期的制限はとくに設けていないが管理及び経理上の理由から時期的制限を設けても良い。
【００６８】
更に、遊技結果価値は実施例のパチンコ玉に限らずコインなどでも良く、遊技機も実施例のパチンコ機に限らずスロットマシンなどでも良い。また、遊技結果価値とは、遊技の結果払い出された遊技媒体（玉やコイン）を含むが、遊技の結果与えられた得点、クレジット数なども含むものである。
【００６９】
更にまた、遊技機も得点で遊技する封入玉式遊技機（玉が機内で循環し、払い出される玉数を得点として付与し、点数分パチンコ玉を発射できる）や、クレジット式スロットマシン（例えばすべて点数として表示される）などでも良く、更には盤面がすべて液晶表示器などで構成され、玉が映像化された仮想盤面を用いた所謂映像式パチンコ遊技機などであっても良い。
【００７０】
ここで、以上説明した実施形態から把握できる発明としては以下のものがある。
（１） 複数の景品の外観イメージデータを記録したイメージ記録手段と、前記景品と遊技結果価値との交換量を含むマスターデータを記憶したデータ記憶手段と、会員登録した会員遊技者を特定可能な会員識別情報に対応付けて、当該会員遊技者が獲得した遊技結果価値並びに景品の送付先情報を記憶、管理する会員管理手段と、前記イメージ記録手段に記憶されている外観イメージデータに基づく景品の外観及び前記データ記憶手段に記憶されているマスターデータに基づく該景品の交換量を前記会員遊技者に提供し、該会員遊技者からの選択を受付ける選択受付け手段と、前記選択受付け手段において景品の選択受付けを行った会員を特定する会員特定手段と、該選択受付け手段にて選択された前記景品に相当する前記交換量を前記会員特定手段にて特定した会員の会員識別情報に対応付けて前記会員管理手段に記憶されている遊技結果価値量より減算するための演算手段と、カタログ業者との間のデータ通信を制御する通信手段と、前記カタログ業者に対する発送情報として、前記選択受付け手段にて選択された景品を特定可能な情報と、前記会員特定手段にて特定した会員の会員識別情報に対応付けて前記会員管理手段に記憶されている送付先情報とを少なくとも含む発送情報を生成する発送情報生成手段と、前記カタログ業者から送信される更新情報の有無を営業開始時にチェックし、更新情報があったときには、前記通信手段を介して該カタログ業者に対し配信要求を送信し、該配信要求の送信に応じて返信されてきた景品の外観イメージデータに、前記イメージ記録手段に記録している外観イメージデータを書き換える外観イメージ更新手段と、から構成されることを特徴とする景品交換用カタログシステム。
【００７１】
【発明の効果】
以上詳述した如く本発明によれば、顧客がイメージ記録手段内に記録された景品を選択することにより、選択された景品に相当する交換量が顧客の獲得した遊技結果価値量から減算されるので、パチンコ店などの遊技場に陳列していない景品、即ちカタログ景品を顧客は得ることができるようになり、顧客サービスの著しい向上が図れるようになる。
【００７４】
請求項１の発明では景品の外観イメージデータを記録するイメージ記録手段は、カタログ業者との間のデータ通信を制御する通信手段を介してカタログ業者から景品の外観イメージデータを受信した場合、記録しているデータを当該受信したデータに書き換えるので、サイクルの短いカタログ景品のデータ入れ替え作業が簡素化され、遊技場における利便性を著しく向上させることができるようになる。
【図面の簡単な説明】
【図１】本発明の景品交換用カタログシステムの構成図である。
【図２】カードレイアウトの例を示す図である。
【図３】会員管理サーバーに記憶されるファイルデータの一例を示す図である。
【図４】カタログ販売時の会員データファイルを示す図である。
【図５】景品サーバーの機能ブロック図である。
【図６】台間ユニットの機能ブロック図である。
【図７】カード情報読取・書込装置の概略を示す断面図である。
【図８】台間ユニットを用いたカタログ景品予約の動作を示すフローチャートである。
【図９】図８におけるカタログ景品予約時のＣＲＴ表示例を示す図である。
【図１０】業者への景品発注リストのデータを示す図である。
【図１１】自宅パソコンによりインターネットを経由してカタログ景品予約を行う際のフローチャートである。
【符号の説明】
１  台間ユニット（各台ユニット）
２  会員管理サーバー（演算手段）
３  ＰＯＳレジ
３ａ、７、３１  カード情報読取・書込装置
４  景品サーバー（イメージ記録手段・データ記憶手段）
５  カウンター
６  会員カード
３２  キースイッチ（景品選択手段）
３４  ＣＲＴ（表示手段）
５６  端末装置（通信手段）
５８  Ｗｅｂサーバー（ネット管理手段）
【図１】
0004356043.tif 000002
【図２】
0004356043.tif 000003
【図３】
0004356043.tif 000004
【図４】
0004356043.tif 000005
【図５】
0004356043.tif 000006
【図６】
0004356043.tif 000007
【図７】
0004356043.tif 000008
【図８】
0004356043.tif 000009
【図９】
0004356043.tif 000010
【図１０】
0004356043.tif 000011
【図１１】
0004356043.tif 000012